(57)【特許請求の範囲】
【請求項１】
刈取部（Ａ）の昇降支点（Ｐ１）を形成する刈取ケース（１）の両端を支持メタル左右（２ａ）、（２ｂ）で保持し、該支持メタル左（２ａ）側に設けた回動支点（Ｐ２）を軸芯にして前記刈取部（Ａ）を回動させ、脱穀部（Ｂ）との間を開放させるサイドオープン構造にしたコンバインの刈取回動装置において、支持メタル左右（２ａ）、（２ｂ）を装着する据付面を水平にした取付座（３）を機台（８）に設立した支柱（７）、（７）に架設し、前記支持メタル左右（２ａ）、（２ｂ）の中央よりも支持メタル左（２ａ）に近い側の刈取ケース（１）に中間メタル（５）を設け、該中間メタル（５）を取付座（３）の据付面に当接させ、前記支持メタル左（２ａ）側に形成した回動支点（Ｐ２）を軸芯に回動する中間メタル（５）の摺動範囲内に取付座（３）を拡幅させたことを特徴とするコンバインの刈取回動装置。
【発明の詳細な説明】
【０００１】
【発明の属する技術分野】
本発明は、刈取部を横方向に水平移動することで、脱穀部前方を開放して整備点検を容易にするサイドオープン構造の刈取回動装置に関するものである。
【０００２】
【従来の技術】
従来、刈取部の周辺に堆積する藁屑の除去や、点検補修に刈取部を横方向に回動して脱穀部前方を開放するようにした刈取装置が、特公平３−６３３３２号公報に記載されているが、刈取装置の重量物を片側で支持するので、捻じれや傾きが生じ易く強固な構造が要求され、部品数と重量が増加して構造が複雑になる。又、実開昭６２−０２７４２８号公報には、刈取部を上下回動自在且つ脱着自在としたコンバインにおいて、脱着枢支機構の前方に設けた支軸に誘導レールを装着し、刈取部を本体から分離する場合に前記支軸を中心に誘導レールが回動し、直線誘導部を水平方向に変換することによってガイドローラが持ち上り、刈取回動支点軸の近傍に設けたガイドローラと前記誘導レールが掛合して、直線誘導部をローラが転動しながら刈取部を脱穀部から機体前方に分離させる構成にしたものが記載されている。一方、構造を簡素化した実施例として、刈取部を前後方向に脱着する割メタルで構成（実施例図９参照）したものが採用されているが、回動部分が離脱して油脂が付着したまま外れる構造であって、脱着作業時衣服を汚したり、異物や土が混入し易い問題点がある。
【０００３】
【発明が解決しようとする課題】
本発明は、これらの問題点を解決するために、刈取ケースを保持する支持メタルが嵌着したまま、外側端を回動中心に刈取部を摺動させるとともに、刈取ケースの中途部が取付座に当接することで、刈取荷重を分散支持するサイドオープン構造の刈取回動装置を提供するものである。
【０００４】
【課題を解決するための手段】
刈取ケースを保持する外側の支持メタル左に刈取部が摺動する回動支点を設け、支持メタル左右を装着したまま取付座の据付面を摺動させるサイドオープン構造にする手段を講じた。
【０００５】
刈取部の昇降支点を形成する刈取ケースの両端を支持メタル左右で保持し、該支持メタル左側に設けた回動支点を軸芯にして前記刈取部を回動させ、脱穀部との間を開放させるサイドオープン構造にしたコンバインの刈取回動装置において、支持メタル左右を装着する据付面を水平にした取付座を機台に設立した支柱に架設し、前記支持メタル左右の中央よりも支持メタル左に近い側の刈取ケースに中間メタルを設け、該中間メタルを取付座の据付面に当接させ、前記支持メタル左側に形成した回動支点を軸芯に回動する中間メタルの摺動範囲内に取付座を拡幅させる手段を講じた。
【０００６】
【発明実施の形態】
【実施例】
従来は、刈取部（Ａ）が横方向に回動する支点部分を、機台（８）の外側に支柱を設置して回動するようにしたサイドオープン構造であって、回動部に刈取重量の曲げ応力が集中し強固な構成が要求され肥大化するので、本発明は回動支点（Ｐ２）を支持メタル左（２ａ）の外側端に設置するとともに、刈取ケース（１）の中間メタル（５）に装填したローラ（９）や、ギヤケース（６）に延設した突起座（３３）を取付座（３）の据付面に当接させ、刈取重量を分散させて支えるサイドオープン構造にしたものである。
【０００７】
以下、本発明による刈取回動装置について実施例の図面を参照にして説明すると、図１と図２は、コンバインの前面に配設した刈取部（Ａ）の要部平面図と、コンバインの全体側面図であって、走行装置（Ｃ）を備えた機台（８）上に、刈取部（Ａ）で搬送された穀稈を受継ぐフィードチェン（１０）を横設した脱穀部（Ｂ）を搭載し、前面には前記刈取部（Ａ）が回動する昇降支点（Ｐ１）を、機台（８）から立設した取付座（３）の据付面に装設し、油圧シリンダー（１１）の伸縮によって刈高さ調節を行ないながら、植立した穀稈を刈取った後に揚上搬送して、脱穀部（Ｂ）に穀稈が供給され脱粒処理をする形態のものである。
【０００８】
図１によって刈取枠構造の概要を説明すると、エンジンからの動力を刈取ケース（１）に横設した入力軸（１２）に設けたプーリ（１３）が受動して、ベベルギアを内装するギヤケース（６）から斜設する２軸外筒（１４）内を下降して、Ｔ字型に連結する３軸ケース（１５）に動力配分され、搬送装置（１６）や刈刃（１７）を駆動するようになっている。又、刈取フレーム（１８）の両碗から前方に延設した分草パイプ（１９）を横断するように、前記刈刃（１７）を配設して刈取枠体を形成するものである。
【０００９】
サイドオープン構造の刈取部（Ａ）は、機台（８）から立設する支柱（７）、（７）に、端面を折曲げた取付座（３）を架設し、据付面を水平にして支持メタル左（２ａ）が装着され、外側に配設した回動支点（Ｐ２）を軸芯にし、前記取付座（３）の据付面を摺動するようにしてあり、しかも同一平面上を刈取ケース（１）の中間位置が当接して同様に摺動する構造になっている。又、刈取が上下回動する昇降支点（Ｐ１）は、刈取ケース（１）の両端に支持メタル左右（２ａ）、（２ｂ）を、複数の締結ボルト（２０）で据付面に回動自在に螺着する構成であって、２軸外筒（１４）の中途部を油圧シリンダー（１１）が機台（８）から刈取部（Ａ）を支え、運転席（Ｄ）に装備した操行レバー（２１）の前後操作で油圧昇降して刈高さが調節されるものである。
【００１０】
刈取部（Ａ）を横回動させる手順は、先ず刈取フレーム（１８）の下面に水平移動を補助する当木等を敷設して降下させ、油圧シリンダー（１１）の連結を解除し、入力ベルトやクラッチワイヤー等の本機連動部材を外した後で、支持メタル（２ａ），（２ｂ）の締結ボルト（２０）を取外し、回動支点（Ｐ２）を軸芯にして矢印（イ）の方向に移動させて刈取部（Ａ）を開放姿勢にする。又、前記回動支点（Ｐ２）部分と、取付座（３）の据付面を摺動する中間メタル（５）の当接部で、刈取重量を分散支持するとともに、同一平面上に刈取部（Ａ）の開放姿勢が保持されるようになって、取付操作時にも位置狂いが生じない水平移動による装着を可能にした刈取回動装置である。
【００１１】
図３は、回動支点（Ｐ２）と当接部の要部を示す後面図であって、刈取ケース（１）に嵌着した中間メタル（５）の底面にローラ（９）を装填し、支持メタル左（２ａ）に近いギヤケース（６）との間に配設して、取付座（３）の据付面に当接させたものである。又、ギヤケース（６）の下方に延設した突起座（３３）は刈取部（Ａ）が下降姿勢において、前記同様に取付座（３）の据付面に接触させ、回動支点（Ｐ２）から離間した位置で、横回動する刈取荷重を支えるようにした、２例の当接部構造を示したものである。
【００１２】
図４は、ギヤケース（６）に延設した突起座（３３）の側面図であって、取付座（３）の据付面に接触する当接面を円弧形状にして、刈取昇降の変動に追随するように近接して回動する構成にしてある。又、横方向に回動する時には、昇降する刈取部（Ａ）を下降姿勢にして支持メタル左右（２ａ）、（２ｂ）の締結ボルト（２０）を取外し，前記据付面に当接させて水平に摺動させるものである。尚（１４）はギヤケース（６）から斜設する２軸外筒である。
【００１３】
図５は、支持メタル左（２ａ）の回動支点（Ｐ２）を断面した正面図であって、支持メタル左（２ａ）の外側端に穿設した支点穴（２２）に対して、厚さと外径に遊びを設けたブッシュ（４）を嵌着させ、固定ボルト（２３）によって回動自在に取付座（３）に装着することで、前記回動支点（Ｐ２）の軸芯が形成されている。このような構成であるので、締結ボルト（２０）が取外されてもブッシュ（４）が固設されたまま、取付座（３）の据付面を支持メタル（２ａ）、（２ｂ）が水平に摺動するサイドオープン構造にすることができた。
【００１４】
図６は、刈取ケース（１）の中間メタル（５）に装填したローラ（９）の断面図であって、機台（８）から支柱（７）、（７）を設立し、上方を連結するように取付座（３）を架設して据付面を形成している。その上面を摺動する前記中間メタル（５）は、摺動抵抗を軽減させるローラ（９）を内装するロール溝（２４）を左右に並設して、天井面と据付面の間で圧接転動するようになって、摺動抵抗を軽減するとともに、裏面から前記ロール（９）の下端部が覗くように、矩形穴（２５）を開口した当板（２６）を皿ネジ（２７）で係止して脱落を防ぎ、取付座（３）の拡幅部（２８）まで扇動するようにした据付台の構造である。尚、当接する摺動面が金属同士である場合、摩擦損傷が生じるので樹脂材や、ステンレス板等の間材を、摺動面に敷設しても摺動抵抗が軽減する効果が得られる。
【００１５】
図７は、支持メタル左右（２ａ）、（２ｂ）を装着したまま、サイドオープンした刈取部（Ａ）の姿勢を示す配置図であって、刈取昇降の油圧シリンダー（１１）の連結を解除した後に、締結ボルト（２０）を取外し支持メタル左（２ａ）の回動支点（Ｐ２）を軸芯にして、矢印（ロ）が示す水平方向に中間メタル（５）に装填したローラ（９）が滑動した刈取開放状態であって、その移動範囲に、取付座（３）の据付面を広げた拡幅部（２８）を形設して、摺動時の脱落を防ぐようにした水平移動構造の刈取回動装置である。
【００１６】
図８は、取付座（３）に相対させてメタル積台（３４）を重合させた別途の実施例図であって、刈取ケース（１）を保持する支持メタル左右（２ａ）、（２ｂ）をメタル積台（３４）に固設し、外側端に回動支点（Ｐ２）を設け取付座（３）に重合するように軸着したものであって、矢印（イ）の方向にサイドオープンする場合は、前記刈取ケース（１）をメタル積台（３４）に装着したまま、据付面との接合部を水平に摺動するようにした刈取回動装置の別途実施例である。
【００１７】
図９は、刈取部（Ａ）の昇降回動部を割メタル（２９）で構成した従来の実施例図であって、昇降支点（Ｐ１）になる刈取ケース（１）の支持構造は、組立てを容易にするために前傾の分割面にしてあり、割メタルカバー（３０）を接合ボルト（３１）で螺着することで昇降自在の支点部分が形成されている。又、装着時には半円凹部（３２）が前上方に開口するので嵌着が容易に行なえ、捻じれも生じない特性があるが、脱着時に回動部分が離脱開放されるので、塗布した油が付着し易く取扱いが難しくなったり、異物が混入して噛込むことがある。
【００１８】
【発明の効果】
本発明は、以上説明したように、刈取部のサイドオープン構造を、支持メタルを装着したまま、取付座の据付面を扇動させて脱穀部の前方を開放する構成にしたので、以下に記載するような効果を奏でる。
【００１９】
刈取部の昇降支点を形成する刈取ケースの両端を支持メタル左右で保持し、該支持メタル左側に設けた回動支点を軸芯にして前記刈取部を回動させ、脱穀部との間を開放させるサイドオープン構造にしたコンバインの刈取回動装置において、支持メタル左右を装着する据付面を水平にした取付座を機台に設立した支柱に架設し、前記支持メタル左右の中央よりも支持メタル左に近い側の刈取ケースに中間メタルを設け、該中間メタルを取付座の据付面に当接させ、前記支持メタル左側に形成した回動支点を軸芯に回動する中間メタルの摺動範囲内に取付座を拡幅させた刈取回動装置にしたので、刈取部重量を回動支点の軸芯部と刈取ケースの中間メタルに分散して、取付座の据付面を水平に扇動することで耐荷重が軽減され、刈取部の開放操作が容易になるとともにサイドオープンに伴って移動する前記中間メタルの滑動範囲に拡幅した取付座にしたので、脱着時のはみ出しによる刈取部の傾きや芯狂いが生じないようになった。
【００２０】
【図面の簡単な説明】
【図１】  刈取部の配置を示す要部平面図である。
【図２】  コンバインの全体側面図である。
【図３】  回動支点と当接部を示す要部の後面図である。
【図４】  ギヤケースに延設した突起座の側面図である。
【図５】  回動支点を断面した支持メタルの正面図である。
【図６】  刈取ケースの中間メタルに装填したローラの断面図である。
【図７】  刈取部の開放姿勢を示す平面図である。
【図８】  取付座とメタル積台を重合させた別途実施例図である。
【図９】  昇降支点を割メタルにした従来構造の実施例図である。
【符号の説明】
Ａ・・刈取部            Ｂ・・脱穀部           Ｃ・・走行装置
Ｐ１・・昇降支点        Ｐ２・・回動支点
１・・刈取ケース      ２ａ・・支持メタル左   ２ｂ・・支持メタル右
３・・取付座            ４・・ブッシュ         ５・・中間メタル
６・・ギヤケース        ７・・支柱             ８・・機台
９・・ローラ          １１・・油圧シリンダー １３・・刈取フレーム
２０・・締結ボルト      ２４・・ロール溝
【図１】
0004036570.tif 000002
【図２】
0004036570.tif 000003
【図３】
0004036570.tif 000004
【図４】
0004036570.tif 000005
【図５】
0004036570.tif 000006
【図６】
0004036570.tif 000007
【図７】
0004036570.tif 000008
【図８】
0004036570.tif 000009
【図９】
0004036570.tif 000010